(57)【要約】【課題】逆巻き工法の施工に際し、上段ブロックの下方へ配置した下段ブロック間の軸力（荷重の作用力）に配慮すると共に、上段ブロックの下方へ配置する下段ブロックの作業容易性や、作業時の安全性、完成した擁壁の強度等について検討した。【解決手段】略水平辺３，４と斜辺５ａ，５ｂとを有するブロック１を用いて上段ブロックの下方へ下段ブロックを当接して躯体を構築するに際し、上段ブロックの両側斜辺５ａ，５ａへ下段ブロックの上昇させた斜辺５ｂ，５ｂを当接させ、上下段ブロックの少なくとも斜辺同士を圧縮支持させてコンクリート等で一体化することを特徴とする逆巻き工法である。【選択図】　　　　図１３
2004060345.tif 000002
【特許請求の範囲】
【請求項１】
略水平辺と斜辺とを有するブロックを用いて上段ブロックの下方へ下段ブロックを当接して躯体を構築するに際し、上段ブロックの両側斜辺へ下段ブロックの上昇させた斜辺を当接させ、上下段ブロックの少なくとも斜辺同士を圧縮支持させて一体化することを特徴とする逆巻き工法。
【請求項２】
下段ブロックの上昇手段に個々のブロックを上げるためにジャッキ又はクレーンを用いる請求項１記載の逆巻き工法。
【請求項３】
前面版の後方へ梁により上下が開口した胴込部を形成し、前面版の一部を開口してコンクリート打設口とすると共に、上昇手段の受部となる略水平辺と、該略水平辺の両側に形成された斜辺とを有する擁壁ブロック。
【請求項４】
前面版後方の梁に更に背面版を設け、該背面版に上方から切欠きを設け、コンクリート打設口上方から背面版に達する中間版を設けて胴込部を上下に分画し、コンクリート打設口から打設されたコンクリートを背面版の背面にまで導くようにした請求項３記載の擁壁ブロック。
【請求項５】
略水平辺と斜辺とにより正面視が略六角形状をなす請求項３又は４記載の擁壁ブロック。
【請求項６】
略水平辺又は斜辺へ上下段ブロックの位置決め凸部又は凹部を設けた請求項３乃至５のいずれか記載の擁壁ブロック。
【請求項７】
ブロック下方へ上昇手段を一体で設けた請求項３乃至６のいずれか記載の擁壁ブロック。
【発明の詳細な説明】
【０００１】
【発明の属する技術分野】
本発明は、逆巻き工法、すなわち通常の積み方式とは逆に上方から下方へコンクリートブロックを配置して法面に擁壁を構築する逆巻き工法とこの工法に用いて有用な擁壁ブロックに関するものである。
【０００２】
【従来の技術】
地山又は法面に擁壁を構築する場合、従来は下段から上段へとブロックを積む施工方法が一般的であった。しかし、下段から順に上段へブロックを積む通常の擁壁施工法の場合、地山を大幅に掘削する必要があり、過堀りの問題があることと、施工中に足場が必要であるという難点を有している。また、地山が軟弱であったり脆い地質の場合等には施工中に土砂の崩壊事故を生起するといった危険を伴うことがある。
【０００３】
そこで、本発明者等は先に特開２００２−５４１５９及び特願２００２−３００９８によって、上段から下段へとブロックを積む、いわゆる逆巻き施工方法（以下逆巻き工法と略記）と、それに用いるブロックを提案している。すなわち、地山又は法面上部の横方向に上段ブロックを配置連結し、上段ブロック相互の組付が終わると、その下方一部の地山を掘削して掘削法面部分を形成し、該掘削法面部分に下段ブロックを配置し、上段ブロックと下段ブロック間を一体化することを繰り返して上段から下段へとブロックを積む擁壁構築方法である。
【０００４】
【発明が解決しようとする課題】
逆巻き工法において、略矩形形状の擁壁ブロックを用いる場合を図２７によって示すと、上段ブロックＸ１〜Ｘ４群が横方向に連結配置してある下部を掘削して、下段ブロックＹ１〜Ｙ４群が連結配置された場合において、下段ブロックＹ１〜Ｙ４の地山１０の一部を掘削して穴１１を形成すると、荷重によりＹ２とＹ３間に引張り力Ｆ１，Ｆ２が生じることとなる。このことは、擁壁の安定性を損なう要因となるし、安全性にも対策が必要となる。
【０００５】
本発明はこのような逆巻き工法における、擁壁強度、施工の容易性、安全性等に更に検討を加えたものである。すなわち、逆巻き工法の施工に際し、上段ブロックの下方へ配置した下段ブロック間の軸力（荷重の作用力）に配慮すると共に、上段ブロックの下方へ配置する下段ブロックの作業容易性や、その作業時の安全性、完成した擁壁の強度等について検討したのである。
【０００６】
【課題を解決するための手段】
上記課題を検討した結果、略水平辺と斜辺とを有するブロックを用いて上段ブロックの下方へ下段ブロックを当接して躯体を構築するに際し、上段ブロックの両側斜辺へ下段ブロックの上昇させた斜辺を当接させ、上下段ブロックの少なくとも斜辺同士を圧縮支持させてコンクリート等で一体化することを特徴とする逆巻き工法としたのである。すなわち、上段ブロックが下方に有する斜辺を下段ブロックが上方に有する斜辺で受けて、斜辺同士に圧縮方向の軸力が作用することとなる。垂直擁壁、もたれ擁壁のいずれであっても同様な作用が得られる。この状態で上段ブロックと下段ブロックをコンクリート等で一体化することができる。
【０００７】
このような逆巻き工法の施工に際し、上段ブロックの下方へ下段ブロックを配置するには、掘削された穴へ配置された下段ブロックを上昇させる（すなわちジャッキアップさせる）作業が必要である。この作業にはスクリューネジ方式や油圧式等のジャッキが好ましいが、もたれ擁壁等の施工態様によっては、下段ブロックを上方へ上昇させる他の手段、例えばクレーン、てこ、楔、その他高さ調節ネジ等の建設機械器具を併用するのもよい。簡易タイプのジャッキや高さ調節ネジの場合にはブロックの製作時に個々のブロックへ一体で設けておいてもよい。ジャッキアップさせる他の態様としては、空気で膨らむ気密袋の使用も好適である。いわゆる圧縮空気の送気で重量物を上昇させるエアージャッキである。気密袋の内部は複数に分画しておくか、又は複数の独立した袋体の集合からなるものとし、横方向の形状変形を拘束し、上下方向のみ伸縮させる構造が好ましい。掘削部の凹凸にも対応可能である。
【０００８】
この逆巻き工法を用いる擁壁ブロックは、前面版の後方へ梁により上下が開口した胴込部を形成し、前面版の一部を開口してコンクリート打設口とすると共に、上昇手段の受部となる略水平辺と、該略水平辺の両側に形成された斜辺とを有する。前面版後方の梁には、更に背面版を設けることができ、該背面版に上方から切欠きを設けておくと、上段ブロックの前面版に設けたコンクリート打設口から打設されたコンクリートを背面版の背面にまで導くことができ、高強度な擁壁となる。このとき、前面版に設けたコンクリート打設口上方から背面版に達する中間版を設けて胴込部を上下に分画した構造であると、既設ブロックのみのコンクリート充填を行うことができる。これにより、上段の既設ブロックでは胴込コンクリート打設作業、下段ではブロックの据付けを平行して行うことができる。
【０００９】
略水平辺と斜辺とにより形成され、かつ、規則的な積み構造をとることができるブロックの構造として正面視が六角形、八角形や、それ以上の多角形が考えられる。中でも略六角形状をなすものは、上下段ブロックの斜辺同士を圧縮支持させる軸力作用に優れているし、効率よく配置できる。しかも、底部にジャッキによる持ち上げ面が広く確保でき、かつ製造や、施工等を考慮した場合に、最も好ましい態様となる。特に、六角形とすることには、他にも理由が存在している。すなわち、ブロックの下部掘削の際に掘削幅方向に勾配を付ける必要があり、そこで掘削形状に相似な六角形とすることに有利な点があるのである。
【００１０】
このような擁壁ブロックの水平辺又は斜辺には凹凸や、内部に空隙等を設けてもよいし、上下段ブロック間の位置決め用に凸部又は凹部、更にはこれらに近い構造の金具を設けてもよいし、接触面に軸力を充分伝達できるようにゴム等のパッキンを使用することができる。また、このブロック間には擁壁全体の強度を維持するための配筋孔を設けたり、擁壁背面からの排水を可能にする通水孔を設けることも任意である。前面版と背面版は、必ずしも平行となるように設けられなくてもよい。また、いずれか一方又は双方の途中から曲折してもよい。更に、表面を擬石模様とするとか、コンクリート打設口に充填するコンクリートを少し控えて形成した窪みを利用して、植栽することもできる。
【００１１】
【発明の実施の形態】
図１は本発明の擁壁ブロックの正面図であり、図２は平面図、図３は側面図である。図４は図３中のＢ−Ｂ断面図、図５は図１中のＡ−Ａ断面図である。この本発明の擁壁ブロック１の実施例は、前面版２の上下の水平辺３，４が斜辺５ａ，５ｂよりも長い略六角形をなしている。前面版２の後方へ梁７と背面版９により上下に開口した胴込部８ａ，８ｂを設けている。前面版２に設けたコンクリート打設口２ａの上方から背面版９に達するまで略水平方向の中間版６を設けて、コンクリート充填用の胴込部８ａ，８ｂを上下に分画した構造である。
【００１２】
このような構造であると、この擁壁ブロック１が上下に段ブロックとして積まれた場合には、前面版２の一部に矩形に開口して設けたコンクリート打設口２ａから打設されたコンクリートが下部胴込部８ｂを下って、下段ブロックの胴込部８ａを満たし、背面版９の背面にまで達した状態で固化させることができる。このことは、背面版９に上方から切欠き９ａを設けている場合に顕著であり、また、左右の斜辺５ａ，５ｂの方向も開口させていると側面下方へ配置した下段ブロックに対しても打設したコンクリートをより効果的に充填することができて、高強度な擁壁となる。前面版２が傾斜して設けられているのに対して、コンクリート打設口２ａは前面と側面の上下方向の壁によって上方に開口した受け口となっており、コンクリートの打設作業が容易な構造となっている。
【００１３】
以下図６〜図１８に基づいて本発明の逆巻き工法の実施例を詳細に説明する。この実施例では、図６に示すような地山又は法面１１の上方から下方へと擁壁を構築していく。まず、地山又は法面１１の上方は図７に示すように基面２３の修正がなされた後に、修正基面２３上へ擁壁ブロック（上段ブロック１Ａと称す。）を設置する。上段ブロック１Ａの設置間隔は、その下方に有する斜辺５ａと、後に図１０，図１１で説明する下段の擁壁ブロック（下段ブロック１Ｂと称す。）の上部の斜辺５ｂとが突き合う位置である。
【００１４】
上段ブロック１Ａが設置された下方の地山又は法面を残して間欠的に掘削した様子を図８に示す。掘削部１３の間隔は、擁壁ブロック１のサイズによって決められる。この掘削部１３の底部には図９にみられるようにジャッキ１４を配置する。ジャッキ１４の安定性を確保するためには、下部を維持するプレート等を用いることができる。
【００１５】
次に図１０に示すように、掘削部１３の底部に配置されたジャッキ１４上へ擁壁ブロック（下段ブロック１Ｂと称す。）を設置する。これを図１１に示すように、ジャッキ１４上へ設置された下段ブロック１Ｂを上昇させて上段ブロック１Ａの斜辺５ａと下段ブロック１Ｂの上部の斜辺５ｂへ圧縮当接させるその様子を図１１に示す。この状態で天端コンクリート１２を形成すると共に、更に、コンクリート打設口２ａからコンクリートを充填すると、上段ブロック１Ａと下段ブロック１Ｂが一体化される。
【００１６】
充填したコンクリートが固化した段階で、下段ブロック１Ｂを支持していたジャッキ１４に代えてコンクリートブロック製等の仮支持部材２０を設置して支持させる。仮支持部材２０は掘削部１３の形成に際して取り除かれる。上記のような作業の繰り返しによって、図１２，図１３のように、更に下段ブロック１Ｃ，１Ｄを次々と所定の擁壁高さと幅に達するまで逆巻き工法で施工することとなる。
【００１７】
この逆巻き工法による施工過程における図１３のブロック積みのみの様子を図１４に斜視図で示す。擁壁の端部や最上下部分へ短製品を使用したり、コンクリート打設で仕上げるとか、途中へ詰め物を使用することも任意に選択できる。天端コンクリートは最後に形成してもよいし、天端ブロックを使用することもできる。
【００１８】
図１５〜図１７によって、本発明の逆巻き工法及び擁壁ブロック使用時のコンクリート打設固化の様子を説明する。図１５は平面図であり、図１６は図１５中のＣ−Ｃ相当断面図、図１７は図１６中のＤ−Ｄ相当断面端面図である。上段ブロック１Ａの上部胴込部８ａ等に打設充填されたコンクリートは、側面下方へ配置した下段ブロック１Ｂの上部胴込部に対しても固化一体化の作用をすると共に、背面版９の背面にも充填されて地山１１との間を接着一体化する。更に、上段ブロック１Ａのコンクリート打設口２ａから打設充填されたコンクリートが、下部胴込部８ｂを埋めると共に、下方へ配置した下段ブロック１Ｃの上部胴込部等に固化一体化の作用をすると共に、背面版９の背面にも充填されて地山１１との間を接着一体化するので、擁壁の強度が高い特徴がある。このとき、図１７の破線円内に示すように、前面版の後方の梁７の肩に外方が低くなる勾配を設けていると、打設充填されたコンクリートのガイドとなって移動が容易となり隅々まで充填できる。
【００１９】
図１５，図１６，図１８にみられるように、擁壁ブロック１（上段ブロック１Ａ又は下段ブロック１Ｂ）と背部の地山１１との間へ連続気孔等の発泡体や不織布等の排水材１５を用いることが望ましい。排水材１５は図１８の擁壁の背面図（図１６中のＥ−Ｅ相当断面図）にみられるように、排水が擁壁背面の上部から下部に連続するように、個々の擁壁ブロック１の背面へ設けるとよい。
【００２０】
上段ブロックの下方へ下段ブロックを当接させる手段としては、ジャッキを使用する場合でも他に実施例を示すことができる。例えば、図１９に示すように、上段ブロック１Ａの下方を掘削して下段ブロック１Ｂを所定位置へ上げて配置した後に、更に下段ブロック１Ｃを配置し、コンクリート打設口２ａからジャッキ１４を挿入し、ブロック内底部に設けたジャッキ収容部２ｂへ配置した後、図２０のようにジャッキ１４で下段ブロック１Ｃを上昇させて、上段ブロックの下方に有する斜辺を下段ブロックの上方に有する斜辺で受けて、斜辺同士に圧縮方向の軸力を作用させるのである。この実施例では、下段ブロック１Ｂ、下段ブロック１Ｃを配置するための掘削容積を減少させ、ジャッキアップ時の地盤支持力を保持させることができる。
【００２１】
図２１に正面視略六角形で斜辺に凹部と凸部を設けた実施例の逆巻き工法に用いる擁壁ブロックを示す。擁壁ブロック１は上下に水平辺３，４があり、他の斜辺のうち、両側の上部斜辺１６，１６に凸部１７，１７があり、下部斜辺１８，１８に凹部１９，１９がある。前面版２の後方へ梁７，７と背面版９により上下に開口した胴込部８ａ，８ｂを設けている。前面版２にコンクリート打設口２ａを設けた点、前面版２に設けたコンクリート打設口２ａの上方から背面版９に達するまで略水平方向の中間版６を設けて、コンクリート充填用の胴込部を上下に分画した点もこれまでの実施例と同様である。背面版９には背面の地山又は法面１１へとコンクリートが充填され得る開口のための切欠き９ａを設けている。
【００２２】
図２２〜図２６にこの擁壁ブロックを用いた逆巻き工法の実施例を示す。図２２に示すように、上段ブロック１Ａ，１Ａと天端ブロック１２Ａの下方に掘削幅方向に勾配を付けて形成された六角形に近い形状の掘削部１３へ、図２３にみられるように底部にジャッキ１４を装着した下段ブロック１Ｂを挿入して設置する。このとき、上部斜辺１６に形成した凸部１７の突出形状は上段ブロック１Ａの下部斜辺１８に形成された凹部１９とほぼ相似な台形としているが、凸部１７を前面に比べて後方を小さくして挿入し易くしている。凸部１７の辺２１と凹部１９の辺２２がブロックの奥行き方向に対して同一勾配であることで上段ブロック１Ａに下段ブロック１Ｂの勾配を合わせ易い。また、台形形状に工夫を加えて、辺２１と辺２２は水平面に対する角αが鋭角となるように設けると、抜け落ちない作用が得られる。
【００２３】
下段ブロック１Ｂはその後、図２４に示すように、ジャッキ１４によって上昇させ、上段ブロック１Ａの下部斜辺１８へ下段ブロック１Ｂの上部斜辺１６を圧縮方向へ当接させる。この状態でコンクリート打設口２ａからコンクリートを打設すると、上段ブロック１Ａと下段ブロック１Ｂが一体化されて図２５の状態となる。更に、下段ブロック１Ｂの下方へコンクリートブロック製等の仮支持部材２０を設置した後、図２６のようにジャッキ１４を除去する。更に、隣接する下方の掘削部１３を形成し、これに底部にジャッキを装着した下段ブロックを挿入して設置、ジャッキ１４によって上昇させた後、コンクリート打設固化する作業の繰り返しによって、次々と所定の擁壁高さと幅に達するまでこのような逆巻き工法で施工するのである。
【００２４】
【発明の効果】
本発明は、上段ブロックの下方へ下段ブロックを当接して躯体を構築する逆巻き工法の施工に際し、上段ブロックの両側斜辺へ下段ブロックの上昇させた斜辺を当接させ圧縮支持させてコンクリートで一体化するので、接触する上下段ブロックの斜辺同士の軸力を圧縮方向に伝達して支持させることができる。そこで、上段ブロックの下方の地山を掘削する際の安全性も良く、完成した擁壁の強度も大である。
【００２５】
逆巻き工法の施工の際に個々の擁壁ブロックを上げる上昇手段としてジャッキを採用したので、ブロックの位置決め等施工の容易性を確保することが可能となった。その場合に両側に形成された斜辺の間の略水平辺がジャッキ受けの機能を発揮する。略水平辺と斜辺とにより正面視が略六角形状をなす構造としたので、特にその特徴を発揮する。
【００２６】
前面版後方の梁に更に背面版を設け、該背面版に上方から切欠きを設け、コンクリート打設口上方から背面版に達する中間版を設けて胴込部を上下に分画し、コンクリート打設口から打設されたコンクリートを背面版の背面にまで導くようにした本発明の擁壁ブロックは、上段ブロックのコンクリート打設口から打設充填されたコンクリートが、下部胴込部を埋めると共に、下方へ配置した下段ブロックの上部胴込部等に固化一体化の作用をすると共に、背面版の背面にも充填されて地山との間を接着一体化するので、擁壁の強度が高い特徴がある。
【００２７】
略水平辺又は斜辺へ上下段ブロックの位置決め凸部又は凹部を設けると、上段ブロックの下方へ配置する下段ブロックの位置決め作業を容易にすると共に、擁壁の仕上がり精度を高めることができる。
【図面の簡単な説明】
【図１】本発明の擁壁ブロックの正面図である。
【図２】本発明の擁壁ブロックの平面図である。
【図３】本発明の擁壁ブロックの側面図である。
【図４】図３中のＢ−Ｂ断面図である。
【図５】図１中のＡ−Ａ断面図である。
【図６】本発明の逆巻き工法の実施例の地山の様子を示す正面図である。
【図７】本発明の逆巻き工法における上段ブロックの配置の様子を示す正面図である。
【図８】本発明の逆巻き工法における地山掘削の様子を示す正面図である。
【図９】本発明の逆巻き工法におけるジャッキ配置の様子を示す正面図である。
【図１０】本発明の逆巻き工法における下段ブロックの配置の様子を示す正面図である。
【図１１】本発明の逆巻き工法における下段ブロックをジャッキで上げた様子を示す正面図である。
【図１２】本発明の逆巻き工法における仮支持部材の配置の様子を示す正面図である。
【図１３】本発明の逆巻き工法における下段ブロックをジャッキで上げた様子を示す正面図である。
【図１４】本発明の逆巻き工法におけるブロック積みの様子を示す斜視図である。
【図１５】本発明の逆巻き工法におけるブロック積みの様子を示す平面図である。
【図１６】図１５中のＣ−Ｃ相当断面図である。
【図１７】図１６中のＤ−Ｄ相当断面端面図である。
【図１８】擁壁の背面図（図１６中のＥ−Ｅ相当断面図）である。
【図１９】他の実施例の断面図である。
【図２０】他の実施例における下段ブロックをジャッキで上げた時の断面図である。
【図２１】本発明の擁壁ブロックの他の実施例の斜視図である。
【図２２】本発明の他の実施例の逆巻き工法における地山掘削時の正面図である。
【図２３】同逆巻き工法における下段ブロックの配置の様子を示す正面図である。
【図２４】同逆巻き工法における下段ブロックをジャッキで上げた様子を示す正面図である。
【図２５】同逆巻き工法におけるコンクリート固化時の正面図である。
【図２６】同逆巻き工法におけるジャッキ除去時の様子を示す正面図である。
【図２７】略矩形形状の擁壁ブロックを用いる場合のブロック積みの様子を示す正面図である。
【符号の説明】
１　擁壁ブロック
２　前面版
２ａ　コンクリート打設口
３　水平辺
４　水平辺
５ａ　斜辺
５ｂ　斜辺
６　中間版
７　梁
８ａ　上部胴込部
８ｂ　下部胴込部
９　背面版
９ａ　切欠き
１０　穴
１１　地山又は法面
１２　天端コンクリート
１２Ａ　天端ブロック
１３　掘削部
１４　ジャッキ
１５　排水材
１６　上部斜辺
１７　凸部
１８　下部斜辺
１９　凹部
２０　仮支持部材
２１　凸部の辺
２２　凹部の辺
２３　基面
【図１】
2004060345.tif 000003
【図２】
2004060345.tif 000004
【図３】
2004060345.tif 000005
【図４】
2004060345.tif 000006
【図５】
2004060345.tif 000007
【図６】
2004060345.tif 000008
【図７】
2004060345.tif 000009
【図８】
2004060345.tif 000010
【図９】
2004060345.tif 000011
【図１０】
2004060345.tif 000012
【図１１】
2004060345.tif 000013
【図１２】
2004060345.tif 000014
【図１３】
2004060345.tif 000015
【図１４】
2004060345.tif 000016
【図１５】
2004060345.tif 000017
【図１６】
2004060345.tif 000018
【図１７】
2004060345.tif 000019
【図１８】
2004060345.tif 000020
【図１９】
2004060345.tif 000021
【図２０】
2004060345.tif 000022
【図２１】
2004060345.tif 000023
【図２２】
2004060345.tif 000024
【図２３】
2004060345.tif 000025
【図２４】
2004060345.tif 000026
【図２５】
2004060345.tif 000027
【図２６】
2004060345.tif 000028
【図２７】
2004060345.tif 000029